(57)【要約】      （修正有）【課題】ポシェットの使用者に優れた冷却効果を提供することによって熱中症対策及び快適な環境提供を実現することが可能なポシェットを提供する。【解決手段】ポシェットは、収納空間を形成する壁面１１と、外部から収納空間にアクセスするための開口部１２と、開口部を開閉自在に閉じるファスナ１３と、ファスナに沿って取り付けられ、開かれた開口部の形状を保持する形態保持部材１４と、収納空間に外気を送り込むファン１５と、を有する。【選択図】図３
0003231164.tif 000002
【実用新案登録請求の範囲】
【請求項１】
収納空間を形成する壁面と、
外部から前記収納空間にアクセスするための開口部と、
前記開口部を開閉自在に閉じるファスナと、
前記ファスナに沿って取り付けられ、開かれた前記開口部の形状を保持する形態保持部材と、
前記収納空間に外気を送り込むファンと、
を有することを特徴とするファン付きポシェット。
【請求項２】
前記形態保持部材が、前記ファスナに沿って延びるワイヤであること、
を特徴とする請求項１に記載のファン付きポシェット。
【請求項３】
開かれた前記開口部を前記壁面の内面に留める留め具を更に有すること、
を特徴とする請求項１又は２に記載のファン付きポシェット。
【考案の詳細な説明】
【技術分野】
【０００１】
本考案は、利用者の身体を好適に冷却可能なファン付きポシェットに関する。
【背景技術】
【０００２】
近年、高気温下での作業や運動から引き起こされる熱中症が問題視されている。熱中症とは、視床下部の体温を正常に保つ機能が低下することで全身の発汗作用が停止し、体温が過剰に上昇してしまう症状である。そのため、熱中症が引き起こされると適切な処置を早急に行うことが重要であり、処置が遅れると死に至るケースもある。
【０００３】
上記のような熱中症対策及び快適な作業環境を提供するために、身体を冷却しつつ作業や運動を可能とする空調衣服が知られている（例えば、特許文献１参照）。空調衣服とは、衣服用ファンが取り付けられた衣服であり、衣服と、身体又は下着と、の間に外気を取り入れて、衣服内の空気を強制的に入れ替えるものである。
【先行技術文献】
【特許文献】
【０００４】
【特許文献１】国際公開第０２／０６７７０８号パンフレット
【考案の概要】
【考案が解決しようとする課題】
【０００５】
ところで、ポシェットが様々なシーンで利用されている。しかし、ポシェットの使用者は熱中症対策及び快適な環境提供を実現するために空調衣服を利用することができず、何らかの方法が望まれている。
【０００６】
そこで、本考案の目的は、上記問題に鑑みて創作されたものであり、ポシェットの使用者に優れた冷却効果を提供することによって熱中症対策及び快適な環境提供を実現することが可能なポシェットを提供することにある。
【課題を解決するための手段】
【０００７】
上記の課題を解決すべく、本考案は、
収納空間を形成する壁面と、
外部から前記収納空間にアクセスするための開口部と、
前記開口部を開閉自在に閉じるファスナと、
前記ファスナに沿って取り付けられ、開かれた前記開口部の形状を保持する形態保持部材と、
前記収納空間に外気を送り込むファンと、
を有することを特徴とするファン付きポシェットを提供する。
【０００８】
上記の本考案のポシェットにおいては、前記形態保持部材が、前記ファスナに沿って延びるワイヤであること、が好ましい。
【０００９】
また、上記の本考案のポシェットは、開かれた前記開口部を前記壁面の内面に留める留め具を更に有すること、が好ましい。
【考案の効果】
【００１０】
本考案によれば、ポシェットの利用者に優れた冷却効果を提供して、熱中症対策及び快適な環境提供を実現することが可能なポシェットを提供することができる。
【図面の簡単な説明】
【００１１】
【図１】本考案の一実施形態に係るポシェット１の概略図である。
【図２】ポシェット１の正面図、側面図、上面図、縦断面図及び横断面図である。
【図３】ポシェット１内の空気の流れを説明するための図である。
【考案を実施するための形態】
【００１２】
以下、本考案に係るポシェットの代表的な実施形態について、図を参照しながら詳細に説明するが、本考案は図示されるものに限られない。また、各図面は本考案を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１３】
ファン付きポシェット１（以下、ポシェット１という）は、例えば、図１に示すように使用者Ｕの腰に取り付けられた状態で使用され、使用者Ｕに空気を送る。ポシェット１は、壁面１１、ファスナ１３、形態保持部材１４及びファン１５を含む。
【００１４】
壁面１１は、閉じた収納空間Ｓを形成する。壁面１１は、図２（Ａ）〜（Ｅ）に概略的に示すように概ね箱形であり、底面、前壁、後壁、左右の側壁及び天面から構成されている。前壁には、ファン１５及びスイッチ１６が取り付けられている（図２（Ａ）参照）。また、後壁には、ポシェット１をズボンのループなどに取り付けるためカラビナ（図示せず）や、ポシェット１をベルト等に通すためループ（図示せず）が設けられていてもよい。
【００１５】
図３（Ａ）に示すように、壁面１１には、外部から収納空間Ｓにアクセスするための開口部１２が設けられている。本実施形態では、開口部１２は、側壁から天面に亘って形成されているが、本発明はこれに限られるものではない。
【００１６】
開口部１２にはファスナ１３が取り付けられている。ファスナ１３は開口部１２を開閉自在に閉じるものであり、スライドファスナ（線ファスナ）が好適に用いられるが、ボタンや面ファスナなどの他の種類のファスナでもよい。
【００１７】
図３（Ａ）に示すように、ファスナ１３に沿って形態保持部材１４が取り付けられている。形態保持部材１４は、例えば図３（Ｂ），（Ｃ）に示すように、開かれた開口部１２の形状を保持する部材である。形態保持部材１４は、壁面１１の内面に取り付けられてファスナ１３に沿って延びるワイヤないし針金であることが好ましい。もっとも、本発明の形態保持部材１４はこれに限られず、例えば、壁面１１に埋め込まれ（又は編み込まれ）形態を保持し得る繊維でもよい。本実施形態では、ワイヤ（形態保持部材１４）はファスナ１３の両側に沿って１本ずつ設けられている。
【００１８】
例えば図２（Ａ）に示すように、壁面１１（例えば前壁）には、収納空間Ｓに外気を送り込むためのファン１５が取り付けられている。また、壁面１１（例えば前壁）には、ファン１５のオン・オフ及び風量の調節のためのスイッチ１６が、例えば面ファスナを介して着脱自在に取り付けられている。ファン１５に電力を供給するためのバッテリＢは、収納空間Ｓ内に収納されている。
【００１９】
ポシェット１は、開かれた開口部１２を壁面１１の内面に留める留め具（ホック）１７を更に有していてもよい。図３（Ｂ），（Ｃ）に示すように、留め具１７の使用により、使用者Ｕ側に通り抜ける風の通り道を広く確保できるとともに、風の向き及び流量などを調節できる。
【００２０】
本実施形態によれば、ファン１５から外気をポシェット１の収納空間Ｓ内に引き込み、使用者Ｕに向かう空気の通り道を形成する。これにより、使用者Ｕに優れた冷却効果を提供し、熱中症対策及び快適な環境提供をできる。
【００２１】
このとき、形態保持部材１４により、開かれた開口部１２が任意の形状を取ることができるから、使用者Ｕへの風の向き及び流量などを調節できる。また、留め具１７により、開口部１２形状、ひいては使用者Ｕへの風の向き及び流量などを保持することができる。
【００２２】
以上、本考案の一実施形態について図面を参照しつつ説明してきたが、本考案は、これらの実施形態に限定されるものではなく、実用新案登録請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【符号の説明】
【００２３】
１  ファン付きポシェット
１１  壁面
１２  開口部
１３  ファスナ
１４  形態保持部材
１５  ファン
１６  スイッチ
１７  留め具
Ｓ  収納空間
【図１】
0003231164.tif 000003
【図２】
0003231164.tif 000004
【図３】
0003231164.tif 000005